(57)【要約】  熱いガス状の媒体、例えば、主に熱い空気から成るガス状の媒体を用いて、パッケージ又はパッケージユニット（４）上に収縮包装用フォイル（３）を収縮包装するための装置であって、少なくとも一つのバーナー（２５）を備えた、熱いガス状の媒体を発生するホットガスヒーター（２１）を有する装置において、少なくとも一つのバーナーが多孔質バーナーである。
2010522668.tif 000002
【特許請求の範囲】
【請求項１】
熱い収縮包装用ガスを用いて、パッケージ又はパッケージユニット（４）上に収縮包装用フォイル（３）を収縮包装するための収縮包装用トンネルであって、少なくとも一つのバーナーを備えた、熱い収縮包装用ガスを発生する収縮包装用ガスヒーター（５）を有する収縮包装用トンネルにおいて、
当該の少なくとも一つのバーナーが多孔質バーナー（２５）であることを特徴とする収縮包装用トンネル。
【請求項２】
少なくとも一つのコンベヤ（２）上の収縮包装用フォイル（３）で包まれたパッケージユニット（４）が、収縮包装用トンネルの筐体（２）の内部空間（６）を通過するように動かされるとともに、熱い収縮包装用ガス用の排出口（９，１１）が内部空間（６）内に設けられていることを特徴とする請求項１に記載の収縮包装用トンネル。
【請求項３】
当該の少なくとも一つの多孔質バーナー（２５）が、ガス状の燃料、例えば、天然ガス又は液状のガス、例えば、プロパンガスで動作するように構成されていることを特徴とする請求項１又は２に記載の収縮包装用トンネル。
【請求項４】
当該の少なくとも一つの多孔質バーナー（２５）が、液状の燃料、例えば、燃料油で動作するように構成されていることを特徴とする請求項１又は２に記載の収縮包装用トンネル。
【請求項５】
当該の少なくとも一つの多孔質バーナー（２５）における燃焼室を形成する少なくとも一つの多孔質部材又は反応器（２６）が、収縮包装用ガスのフローに直接作用するか、或いは収縮包装用ガスのフロー内に配置されていることを特徴とする請求項１から４までのいずれか一つに記載の収縮包装用トンネル。
【請求項６】
収縮包装用ガスヒーター（５）が、少なくとも一つの多孔質バーナー（２５）と共に完成した構造ユニットを構成し、そのような完成した構造ユニットとして取り付けることが可能であるか、或いは交換することが可能であることを特徴とする請求項１から５までのいずれか一つに記載の収縮包装用トンネル。
【請求項７】
熱い収縮包装用ガスを用いて、パッケージ又はパッケージユニット（４）上に収縮包装用フォイル（３）を収縮包装するための収縮包装用トンネル（１）で使用される、少なくとも一つのバーナーを備えた収縮包装用ガスヒーターにおいて、
当該の少なくとも一つのバーナーが多孔質バーナー（２５）であることを特徴とする収縮包装用ガスヒーター。
【請求項８】
当該の少なくとも一つの多孔質バーナー（２５）が、ガス状の燃料、例えば、天然ガス又は液状のガス、例えば、プロパンガスで動作するように構成されていることを特徴とする請求項７に記載の収縮包装用ガスヒーター。
【請求項９】
当該の少なくとも一つの多孔質バーナー（２５）が、液状の燃料、例えば、燃料油で動作するように構成されていることを特徴とする請求項７に記載の収縮包装用ガスヒーター。
【請求項１０】
少なくとも一つのバーナーを備えた、熱い収縮包装用ガスを発生する収縮包装用ガスヒーター（５）により、熱い収縮包装用ガスを用いて、パッケージ又はパッケージユニット（４）上に収縮包装用フォイル（３）を収縮包装する方法において、
請求項１から６までのいずれか一つに記載された収縮包装用トンネルを使用することを特徴とする方法。
【請求項１１】
少なくとも一つのバーナーを備えた、熱い収縮包装用ガスを発生する収縮包装用ガスヒーター（５）により、熱い収縮包装用ガスを用いて、パッケージ又はパッケージユニット（４）上に収縮包装用フォイル（３）を収縮包装する方法において、
請求項７から９までのいずれか一つに記載された収縮包装用ガスヒーターを使用することを特徴とする方法。
【請求項１２】
多孔質バーナー用の燃料として、ガス状又は液状の炭化水素、特に、天然ガス又は燃料油を使用することを特徴とする請求項１０又は１１に記載の方法。
【発明の詳細な説明】
【技術分野】
【０００１】
本発明は、請求項１の上位概念にもとづく収縮包装用トンネルに関する。
【背景技術】
【０００２】
例えば、複数の個別パッケージ又はパッケージユニットから成る集合体を形成するために、製品、例えば、パッケージユニット上に収縮包装用フォイルを収縮包装する収縮包装用トンネルが知られている。その場合、収縮包装は、以下において収縮包装用ガスフローと称する熱い空気又は熱いガスのフローを用いて行われ、そのようなフローは、パッケージユニット上に収縮包装用フォイルを収縮包装するために、既に収縮包装用フォイルで包まれた各パッケージユニットの側面に吹き付けられる。更に、収縮包装用ガスフローは、収縮包装用フォイルで包まれた製品の下側の収縮包装用フォイルの重なり合った端部を閉鎖する、即ち、溶接又は接着するために、その下側にも当てられる。
【０００３】
収縮包装用ガスフローは、例えば、電気で動作する、或いはガス状又は液状の燃料で動作する少なくとも一つの加熱器を備えたホットガスヒーター又は収縮包装用ガスヒーターから供給される。後者の場合、ホットガスヒーターは、ガス状又は液状の燃料を燃焼して裸の火炎を発生させ、それを収縮包装用ガスフローから隔離された燃焼室の内部空間に作用させて、熱交換方式により収縮包装用ガスフローに熱エネルギーを与える形のバーナーを有する。
【０００４】
更に、一つ又は複数の多孔質部材から成る少なくとも一つの反応器内で無炎の塊（グローフォウム）による燃焼を起こす、例えば、ガスバーナーの形の所謂多孔質バーナーも周知である。
【発明の概要】
【発明が解決しようとする課題】
【０００５】
本発明の課題は、収縮包装用トンネル或いは効率を改善したことを特徴とする収縮包装用トンネルのためのホットガスヒーター又は収縮包装用ガスヒーターを提示することである。
【課題を解決するための手段】
【０００６】
本課題を解決するために、収縮包装用トンネルを請求項１にもとづき構成する。収縮包装用トンネルのためのホットガスヒーターは、別の請求項に記載されている。
【０００７】
本発明の有利な実施構成では、多孔質バーナーとして構成された少なくとも一つのバーナーが、収縮包装用フォイルの収縮包装のために使用される収縮包装用ガスフローに直接作用し、それによって、特に高い効率、加熱時間の短縮並びに特に電気で動作するホットガスヒーターと比べてもエネルギーコストの大幅な削減が得られる。
【０００８】
少なくとも一つのバーナーを多孔質バーナーとして構成した場合、多孔質部材内で均一で安定した無炎の塊（グローフォウム）による燃焼プロセスにもとづく裸の火炎を発生しない形で燃料の燃焼が行われ、そのため裸の火炎が吹き消される虞が無くなるので、本発明がベースとする知見にもとづき、多孔質バーナーが、ホットガスフローに直接作用するか、或いはそのフロー内に配置される、詳しくは、特に、燃えきらない燃料が収縮包装用トンネル内で爆発する虞も無い形で作用するか、或いはフロー内に配置される。
【０００９】
燃料として、有利には、ガス状の燃料、例えば、天然ガス、或いは液状のガス、例えば、プロパンガスが使用される。基本的には、炭化水素を含む多くの燃料、特に、燃料油などの液状の燃料を使用することもできる。燃料油を使用する場合、多孔質バーナーは、液状の燃料と酸素又は空気とを供給される気化室を更に有する。本発明の改善構成は、従属請求項に記載されている。以下において、実施例の図面にもとづき本発明を詳しく説明する。
【００１０】
同じく、本発明には、明細書及び請求項に記載された実施構成にもとづき、収縮包装用トンネル及び／又は収縮包装用ガスヒーターを使用する方法も含まれる。
【図面の簡単な説明】
【００１１】
【図１】本発明による収縮包装用トンネルの断面の模式図
【図２】収縮包装用フォイルの収縮包装及び収縮包装用フォイルの重なり合った端部の閉鎖に必要な熱い収縮包装用ガス（熱い空気）を供給するための図１の収縮包装用トンネルの空気ヒーター又は収縮包装用ガスヒーターの模式図
【発明を実施するための形態】
【００１２】
図面において、符号１は収縮包装用トンネルを表し、そこを通して、既に収縮包装用フォイル３で包まれたパッケージユニット４が、コンベヤ２上を図１の面に対して垂直な水平の移送方向に動かされて行き、その中でパッケージユニット４上への収縮包装用フォイル３の収縮包装と、パッケージユニット４の下側に有る収縮包装用フォイル３の重なり合った端部の閉鎖、即ち、溶接及び／又は接着とが（側方と下方からの）熱の作用により行われ、その後各パッケージユニット４は、収縮包装用フォイル３を収縮包装された形で収縮包装用トンネル１から出て行く。
【００１３】
この場合、パッケージユニット４は、例えば、容器又はその他の個別パッケージであり、収縮包装された収縮包装用フォイル３によって纏められた集合体としてのパッケージユニット又は集合体ユニットに組み合わされたものである。図示されている実施構成では、コンベヤ２は、パッケージユニット４の二列のフロー用に構成されている。
【００１４】
収縮包装用フォイル３の収縮包装及び各パッケージユニット４の下側のフォイル端部の閉鎖は、熱い収縮包装用ガスにより行われ、そのガスは、収縮包装用ガスヒーター５内で生成されて、電気モーター７で駆動される送風機８と分配通路９にそれぞれ設けられた多くの空気排出口を介して、内部空間３に吹き付けられる、詳しくは、熱い収縮包装用ガスは、それぞれ「上側空気」として、矢印Ａで表示されている通り、通過して行くパッケージユニット４の側面に主に当たるように吹き付けられる。
【００１５】
更に、収縮包装用ガスヒーターは、所謂「下側空気」も提供し、その空気は、電気モーター７で駆動される送風機１０とコンベヤ２の下に配置された分配通路又はそこに配備された空気排出口を介して、矢印Ｂで表示されている通り、収縮包装用フォイル３で包まれたパッケージユニット４の下側に当たって、収縮包装用フォイルの重なり合った端部を閉鎖する。
【００１６】
本発明の特徴は、収縮包装用トンネルの筐体１２の上側に配備された収縮包装用ガスヒーター５である。収縮包装用ガスヒーター５の実現可能な構成が図２に大まかに図示されている。この実施構成では、二つのフロー通路又はフロー経路が筐体１３内に形成されている、詳しくは、上側空気用のフロー経路１４と下側空気用のフロー経路１５が形成されている。各フロー経路１４又は１５には、（フロー経路１４の）出口１６又は（フロー経路１５の）出口１７に送風機８又は１０が配備されており、図２では、簡単に図示するために、上側空気と下側空気用にそれぞれ一つの送風機だけが描かれている。二つのフロー通路１４と１５は、収縮包装用トンネル１の内部空間６から空気を吸引するために共通の入口１８を有する（図１と２の矢印Ｃ）。
【００１７】
筐体１３の内部には、加熱空間１９が形成されており、その中には、特に、加熱レジスター又はヒーター２１の加熱ケース２０が配置されている。加熱空間１９の側方を画定する隔壁２２によって、各フロー経路１４と１５のための二つの分岐又は区画が形成されている、詳しくは、フロー経路１４のための加熱空間１９を通る区画１４．１と加熱空間１９の側方を迂回して通るバイパス又は区画１４．２、並びに同様にフロー経路１５のための加熱空間１９を通る区画１５．１と加熱空間の側方を迂回して通るバイパス又は区画１５．２が形成されている。フロー方向に対して加熱空間１９の後において、各フロー経路１４又は１５の二つの区画が再び合流している、詳しくは、加熱空間１９を貫流する収縮包装用ガス量と加熱空間を迂回する収縮包装用ガス量の混合比率を調節する、即ち、温度を調節するための制御可能な空気誘導部２３又は２４を介して合流している。図示されている実施構成では、加熱ケース２０は、互いに間隔を開けて互いに平行に配置された多くのプレート又はフィンから構成されており、それらの表面側は、それぞれ加熱空間１９又は加熱ケース２０を貫流する空気のフロー方向に対して平行な方向を向いている。
【００１８】
ヒーター２１の加熱部分は、無炎動作式及びガス動作式多孔質バーナー２５であり、加熱ケース２０の表側に加熱ケースから僅かに間隔を開けて配備されており、加熱空間１９に直接作用する、即ち、その熱い燃焼ガスは、加熱空間１９に直接供給されて、そこで加熱ケース２０を加熱するとともに、その加熱ケース２０を貫流する空気とも混合している。多孔質バーナー２５は、基本的に多数の穴又は通路の有る一つ以上の多孔質部材、例えば、セラミック材料の少なくとも一つの多孔質部材から成る燃焼室又は反応器２６から構成されており、送風機２７を介してガス状のエネルギー源、例えば、天然ガス又はプロパンガスと空気の混合物を供給される。多孔質部材又は反応器２６の内部では、多孔質部材２６の外面上で火炎を形成すること無くガス状のエネルギー源の燃焼が起こっている。
【００１９】
本発明による構成の主な利点は、特に、次の通りである。
・エネルギーコストの低減
・二酸化炭素排出量の低下
・加熱時間の短縮
ほとんど有害物質を発生しない綺麗な燃焼によって、多孔質バーナー２５の排気ガスは、例えば、煙突などの追加措置無しに、設置位置で直接収縮包装用ガスフローに排出するか、さもなければ周囲の製造棟に排出することができる。即ち、例えば、天然ガスや液状のガス又はプロパンガスを用いた収縮包装用ガスヒーター５の動作によって、電気動作式収縮包装用ガスヒーターと比べて５０％までのエネルギーコストの節約を実現することができる。ガス動作式収縮包装用ガスヒーター５では、二酸化炭素排出量、即ち、ＣＯ2 負荷も同じ出力の電気動作式収縮包装用ガスヒーターと比べて約６０％低減される。ヒーター２１は、完成した構造ユニットとして取り付けること並びに交換することが可能である。更に、例えば、従来使用されていた電気式熱風ヒーター又は収縮包装用ガスヒーターと交換するために、それに対応する構造のヒーター２１を既存の収縮包装用トンネル１に取り付けることも可能である。前述した通り実施例にもとづき本発明を説明した。特に、収縮包装用ガス発生器又はヒーター５の構成に関しても、多くの変化形態及び修正形態が可能であることを理解されたい。しかし、全ての実施形態は、ヒーター２１のバーナー又は熱源がガス状のエネルギー源を裸の火炎を発生しない形で燃焼させる無炎式多孔質バーナー２５であることが共通している。
【符号の説明】
【００２０】
１    収縮包装用トンネル
２    コンベヤ
３    収縮包装用フォイル
４    パッケージユニット
５    収縮包装用ガスヒーター
６    内部空間
７    電気モーター
８    送風機
９    排出口
１０    送風機
１１    排出口
１２    収縮包装用トンネルの筐体
１３    筐体
１４    フロー経路
１４．１，１４．２    区画
１５    フロー経路
１５．１，１５．２    区画
１６，１７    出口
１８    入口
１９    加熱空間
２０    加熱ケース
２１    ヒーター
２２    隔壁
２３，２４    空気誘導部
２５    多孔質バーナー
２６    反応器
Ａ，Ｂ，Ｃ    フロー
【図１】
2010522668.tif 000003
【図２】
2010522668.tif 000004
【国際調査報告】
2010522668.tif 000005
2010522668.tif 000006
2010522668.tif 000007
2010522668.tif 000008
2010522668.tif 000009
2010522668.tif 000010